(57)【要約】【課題】  疑似PushScanをサポートする画像処理装置から画像データを送信する場合、どの時点でＰＣからスキャンジョブ要求を受信するかわからないため、ユーザはいつまで画像処理装置の傍で待機すれば良いのかわからない。【解決手段】  画像データの送信先を設定し、原稿を読み取って得られた画像データを記憶する。受信したスキャンジョブ要求が、設定した送信先からのスキャンジョブ要求である場合、当該スキャンジョブ要求に含まれるパラメータに従って、記憶されている画像データを変換し、その変換した画像データを、そのスキャンジョブ要求を送信した送信先に送信する。【選択図】  図９
2014011582.tif 000002
【特許請求の範囲】
【請求項１】
原稿を読み取って画像データを生成する読み取り手段と、
前記画像データの送信先を設定する設定手段と、
前記読み取り手段で生成された画像データを記憶する記憶手段と、
スキャンジョブ要求を受信する受信手段と、
前記受信手段で受信したスキャンジョブ要求が前記設定手段で設定した送信先からのスキャンジョブ要求である場合、当該スキャンジョブ要求に含まれるパラメータに従って前記記憶手段に記憶されている画像データを変換する変換手段と、
前記変換手段により変換した画像データを前記スキャンジョブ要求を送信した送信先に送信する送信手段と、
を有することを特徴とする画像処理装置。
【請求項２】
前記記憶手段は、更に、
前記設定手段により設定された送信先とを前記画像データに関連付けて記憶することを特徴とする請求項１に記載の画像処理装置。
【請求項３】
前記読み取り手段により画像データを生成した際に、識別子を生成する生成手段を更に有し、
前記記憶手段は、前記生成手段によって生成された識別子と、前記設定手段により設定された送信先とを、前記読み取り手段によって生成された画像データに関連付けて記憶することを特徴とする請求項１又は２に記載の画像処理装置。
【請求項４】
前記スキャンジョブ要求は、前記読み取り手段が前記原稿の読み取り準備が完了したことを示すスキャン準備完了通知を、前記設定手段で設定された送信先に送信した後、当該スキャン準備完了通知に応じて送られてくることを特徴とする請求項１乃至３のいずれか１項に記載の画像処理装置。
【請求項５】
前記送信手段による前記変換した画像データの送信の後、当該画像データに対応する前記記憶手段に記憶された前記識別子と前記送信先との関連付けを削除する削除手段を更に有することを特徴とする請求項３に記載の画像処理装置。
【請求項６】
前記記憶手段は、更に、前記画像データの保存期限を記憶し、
当該保存期限を過ぎた画像データを削除する手段を更に有することを特徴とする請求項１乃至５のいずれか１項に記載の画像処理装置。
【請求項７】
前記スキャンジョブ要求が、前記設定手段で設定された送信先から送信されたものでない場合、当該スキャンジョブ要求に応じて、前記読み取り手段による原稿の読み取り、前記スキャンジョブ要求に含まれるパラメータに従った画像データの変換、及び変換した画像データを前記スキャンジョブ要求を送信した送信先に送信する処理手段を更に有することを特徴とする請求項１乃至６のいずれか１項に記載の画像処理装置。
【請求項８】
前記スキャンジョブ要求に含まれるパラメータは、ファイルフォーマット、カラーモード、紙サイズ、解像度に関する情報のうちの何れかを含むことを特徴とする請求項１乃至７のいずれか１項に記載の画像処理装置。
【請求項９】
画像処理装置を制御する制御方法であって、
読み取り手段が、原稿を読み取って画像データを生成する読み取り工程と、
設定手段が、前記画像データの送信先を設定する設定工程と、
記憶手段が、前記読み取り工程で生成された画像データをメモリに記憶する記憶工程と、
受信手段が、スキャンジョブ要求を受信する受信工程と、
変換手段が、前記受信工程で受信したスキャンジョブ要求が前記設定工程で設定した送信先からのスキャンジョブ要求である場合、当該スキャンジョブ要求に含まれるパラメータに従って前記メモリに記憶されている画像データを変換する変換工程と、
送信手段が、前記変換工程で変換した画像データを前記スキャンジョブ要求を送信した送信先に送信する送信工程と、
を有することを特徴とする画像処理装置の制御方法。
【請求項１０】
コンピュータを、
原稿を読み取って画像データを生成する読み取り手段と、
前記画像データの送信先を設定する設定手段と、
前記読み取り手段で生成された画像データを記憶する記憶手段と、
スキャンジョブ要求を受信する受信手段と、
前記受信手段で受信したスキャンジョブ要求が前記設定手段で設定した送信先からのスキャンジョブ要求である場合、当該スキャンジョブ要求に含まれるパラメータに従って前記記憶手段に記憶されている画像データを変換する変換手段と、
前記変換手段により変換した画像データを前記スキャンジョブ要求を送信した送信先に送信する送信手段とを有する画像処理装置として機能させるためのプログラム。
【発明の詳細な説明】
【技術分野】
【０００１】
画像処理装置で画像データを生成して宛先に送信する技術に関する。
【背景技術】
【０００２】
近年、以下に記す動作を実行する疑似PushScanと呼ばれるスキャン方法を実装した画像処理装置が登場している。
【０００３】
ネットワークを介して接続された画像処理装置と情報端末（以降、ＰＣ）とを含むシステムで、画像処理装置で画像の読み取りの準備が整うと、ユーザにより指定された宛先のＰＣに対して、スキャン準備完了をネットワーク経由で通知する。この画像読み取り準備完了を受信したＰＣは、その画像処理装置に対して、取得する画像フォーマット等の指定も含むスキャンジョブ要求を送信する。このスキャンジョブ要求を受信した画像処理装置は、スキャナにより原稿を読み取って画像データを生成し、その画像データを、スキャンジョブ要求で指定されたフォーマットのファイルデータに変換する。そして、その変換したファイルデータをＰＣに送出する。このシーケンスを図１に示す。
【０００４】
図１では、画像処理装置で、原稿の読み取り準備が完了すると、スキャン準備完了通知をＰＣ宛てに送信する。そして、その後、原稿を読み取ってＰＣに送信するように要求するスキャンジョブ要求がＰＣから送られてくると、画像処理装置は原稿を読み取って得られた画像データを、スキャンジョブ要求で要求されたフォーマットや解像度等に変換する。画像処理装置は、こうして作成した画像ファイルをＰＣに送信することにより、ＰＣからのスキャンジョブ要求に応答して画像ファイルを送信することができる。
【０００５】
またマイクロソフト社は、WebServiceOnDevice（以下、ＷＳＤ）という画像形成装置等の電子機器が提供するＷｅｂサービスをコンピュータ機器が利用するための通信プロトコルを規定している。この規定の中で、疑似PushScanをサポートするプロトコル（ＷＳＤスキャン）を規定している。
【０００６】
また例えば特許文献１には、ＷＳＤスキャンの規定に従って疑似PushScanを実行できる画像形成装置が記載されている。
【先行技術文献】
【特許文献】
【０００７】
【特許文献１】特開２００９−２６７７０１号公報
【発明の概要】
【発明が解決しようとする課題】
【０００８】
従来の画像処理装置は、スキャンジョブ要求を受信した後、原稿の読み取りを行って画像データを生成し、その画像データをスキャンジョブ要求に含まれる指定された画像フォーマットに変換して、要求元のＰＣに送信していた。ところが指定される画像フォーマットは、ＰＣの設定や操作に依存するため、１回の画像読み取りに対して疑似PushScanの宛先となるＰＣが複数あると、宛先として指定された複数のＰＣのそれぞれから指定された画像フォーマットに変換することになる。このとき、各ＰＣから指定された画像フォーマットが互いに互換性のないものであれば、画像処理装置は１回の画像の読み取りと画像変換で、全てのＰＣからのスキャンジョブ要求に対応することができない。よって、そのような場合は、スキャンジョブ要求ごとに原稿の読み取りと画像データの変換を行うことになる。
【０００９】
また一般的に、ＰＣがスキャン準備完了を受信してからスキャンジョブ要求を送出するまでの時間に関して、プロトコル上、特に時間的な制限はない。従って従来は、原稿が機密情報を含む場合、ユーザはその原稿を画像処理装置の読み取り部にセットした後、ＰＣからスキャンジョブ要求を受信して読み取り部が原稿の読み取りを完了するまで画像処理装置から離れることができなかった。つまり疑似PushScanをサポートする画像処理装置から画像データを送信する場合、どの時点でＰＣからスキャンジョブ要求を受信するかわからないため、ユーザはいつまで画像処理装置の傍で待機すれば良いのかわからないという課題があった。
【００１０】
本発明の目的は、上記従来技術の問題点を解決することにある。
【００１１】
本発明の特徴は、原稿の画像データを複数の宛先に送信する場合でも、１回だけ原稿を読み取るだけで、複数の宛先それぞれの要求に応じたフォーマットの画像データを、複数の宛先に送信できる技術を提供することにある。
【課題を解決するための手段】
【００１２】
上記目的を達成するために本発明の一態様に係る画像処理装置は以下のような構成を備える。即ち、
原稿を読み取って画像データを生成する読み取り手段と、
前記画像データの送信先を設定する設定手段と、
前記読み取り手段で生成された画像データを記憶する記憶手段と、
スキャンジョブ要求を受信する受信手段と、
前記受信手段で受信したスキャンジョブ要求が前記設定手段で設定した送信先からのスキャンジョブ要求である場合、当該スキャンジョブ要求に含まれるパラメータに従って前記記憶手段に記憶されている画像データを変換する変換手段と、
前記変換手段により変換した画像データを前記スキャンジョブ要求を送信した送信先に送信する送信手段と、を有することを特徴とする。
【発明の効果】
【００１３】
本発明によれば、原稿の画像データを複数の宛先に送信する場合でも、１回だけ原稿を読み取るだけで、複数の宛先それぞれの要求に応じたフォーマットの画像データを、複数の宛先に送信できるという効果がある。
【図面の簡単な説明】
【００１４】
【図１】従来技術に係る疑似PushScanのシーケンス例を示す図。
【図２】本発明の実施形態に係る画像処理装置のハードウェア構成を説明するブロック図。
【図３】実施形態に係る画像処理装置を含むシステムの構成図。
【図４】本実施形態に係る画像処理装置による処理を説明するフローチャート。
【図５】送信宛先選択／送信開始画面の一例を示す図。
【図６】実施形態における生画像データとスキャン識別子、及びその宛先を記憶するデータ形式の一例を示す図。
【図７】図４のＳ１０４のスキャンジョブ要求に対する画像処理装置の処理を説明するフローチャート。
【図８】Ｓ２１８の削除処理を説明する図。
【図９】本実施形態に係る画像処理装置と複数のＰＣとの間での画像データの転送シーケンス例を示す図。
【発明を実施するための形態】
【００１５】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１６】
図２は、本発明の実施形態に係る画像処理装置１０１のハードウェア構成を説明するブロック図である。
【００１７】
この画像処理装置１０１は、ネットワーク１０２を介して複数の他機器と接続している。ＣＰＵ１１は、この画像処理装置１０１全体を制御しており、ハードディスクドライブ（ＨＤＤ）１３にインストールされているＯＳや各種プログラムをＲＡＭ１２に展開し、そのプログラムを実行することにより、後述する各種制御を実行する。ＲＡＭ１２は各種データを一時的に保持し、ＣＰＵ１１のワークエリアを提供している。入力部１４はタッチパネル等の表示部を有し、ＧＵＩ（グラフィックユーザーインターフェース）を介して様々なデータの入力や、各種設定等を行うのに使用される。読み取り部１５は例えばスキャナ等であり、原稿を読み取って画像データを生成する。通信部１６は、ネットワーク１０２を介して外部機器との通信を制御する。画像変換部１７は、例えば読み取り部１５で生成された生の画像データを、指定された画像フォーマットや解像度のデータに変換する。メインバス１８は、ＣＰＵ１１と上述した各部とを接続して、各種データや制御信号等を伝搬している。尚、本実施形態では、特に断らない限り、ＣＰＵ１１がメインバス１８を介してＲＡＭ１２，ＨＤＤ１３、入力部１４、読み取り部１５、通信部１６、画像変換部１７を制御して、本実施形態に係る各種動作を実施する。尚、ＨＤＤ１３は大容量の不揮発性記憶部で、ＨＤＤに限らず各種メモリカードやＲＯＭ，フラッシュメモリ，ＵＳＢメモリ等であっても良い。
【００１８】
図３は、実施形態に係る画像処理装置１０１を含むシステムの構成図である。
【００１９】
ここでは、画像処理装置１０１と複数のパーソナルコンピュータ（以下ＰＣ）１０４，１０５が、ネットワーク１０２を介して接続されている。
【００２０】
図４は、本実施形態に係る画像処理装置１０１による処理を説明するフローチャートである。尚、この処理を実行するプログラムはＨＤＤ１３にインストールされており、実行時、ＲＡＭ１２に展開され、ＣＰＵ１１の制御の下に実行される。
【００２１】
この処理は、画像処理装置１０１に電源が投入されることにより開始され、まずＳ１０１でＣＰＵ１１は初期化処理を実行する。初期化が終了するとＳ１０２に進み、ＣＰＵ１１は、通信部１６、ネットワーク１０２を介して、この画像処理装置１０１がサポートするサービスをＰＣ１０４，ＰＣ１０５等に公開する。このサービスの公開の方法に関しては種々の方法が提案され実用化されているが、その方法は本発明と直接関係がないのでその詳細は省略する。次にＳ１０３に進み、ＣＰＵ１１は、通信部１６、ネットワーク１０２を介してＰＣからスキャンジョブ要求を受信したかどうかを判定する。スキャンジョブ要求を受信していればＳ１０４に進み、受信していないときはＳ１０５に進む。
【００２２】
Ｓ１０５では、ＣＰＵ１１は、入力部１４を介して、疑似PushScan機能の選択通知を受け取ったかどうかを判定する。ここで疑似PushScan機能の選択通知を受け取っていればＳ１０６に進み、入力部１４に登録済みの疑似PushScanの宛先選択／送信開始画面を表示する。
【００２３】
図５は、この送信宛先選択／送信開始画面の一例を示す図である。
【００２４】
図５において、表示されているＰＣの名称を選択して「送信開始」ボタンを押下すると、それを画像データの送信先として設定できる。ここでは複数の宛先を選択することができる。
【００２５】
この画面を使用して、ユーザは画像データを送信したい宛先を１つ以上選択できる。Ｓ１０７では、ＣＰＵ１１は、入力部１４を介して、「選択」ボタン５０１が押下されて新規の送信宛先が選択されたか、それとも「送信開始」ボタン５０２の押下により送信開始が選択されたかを判定する。ここで「選択」ボタン５０１が押下されたと判定するとＳ１０８に進み、その選択された送信宛先を送信宛先として記憶する。そしてＳ１０９に進み、その選択された送信宛先に対してスキャンＩＤ（スキャン識別子）を作成し、そのスキャンＩＤを、選択された送信宛先に関連付けて記憶し、Ｓ１０７に進む。
【００２６】
図６は、実施形態における生画像データとスキャン識別子、及びその宛先を記憶するデータ形式の一例を示す図である。
【００２７】
図６から明らかなように、１つの画像データファイルに対して複数のスキャン識別子と複数の宛先が設定されている。更に各画像データファイルごとに、その保存期限が設定されている。
【００２８】
一方、Ｓ１０７で、「送信開始」ボタン５０２が押下されたと判定するとＳ１１０に進み、ＣＰＵ１１は、読み取り部１５を稼働させて原稿の画像を光学的に読み取り、生の画像データを生成する。そしてＳ１１１に進み、ＣＰＵ１１は、その生成した生の画像データをＨＤＤ１３に格納する。そしてＳ１１２に進み、ＣＰＵ１１は、生成した生の画像データを、Ｓ１０９で記憶された全ての宛先とスキャンＩＤの組み合わせと関連付けて記憶する（図６参照）。
【００２９】
次にＳ１１３に進み、ＣＰＵ１１は、入力部１４で表示していた送信宛先一覧の画面から元の画面に遷移する。そしてＳ１１４に進み、ＣＰＵ１１は、Ｓ１０９で記憶した全ての送信宛先であるＰＣに対して、関連付けられたスキャンＩＤを含むスキャン準備完了通知を通信部１６、ネットワーク１０２を介して送信する。そしてＳ１１５に進み、ＣＰＵ１１は、Ｓ１１１で格納した生の画像データに対して保存期間を設定してＳ１０３に進む。
【００３０】
一方、Ｓ１０５で、疑似PushScan機能の選択通知を受け取っていなければＳ１１６に進み、ＣＰＵ１１は、ネットワーク１０２、通信部１６を介して、疑似PushScanの宛先登録を受信したかを判定する。疑似PushScanの宛先登録を受信していればＳ１１７に進み、ＣＰＵ１１は、その受信した宛先を登録してＳ１０３に進む。
【００３１】
またＳ１１６で、疑似PushScanの宛先登録を受信していないときはＳ１１８に進み、ＣＰＵ１１は、保存期間に達した生の画像データがＨＤＤ１３に格納されているかを判定する。ここで保存期間に達した生画像データがあればＳ１１９に進み、ＣＰＵ１１は、その生の画像データをＨＤＤ１３から削除する。そしてＳ１２０に進み、ＣＰＵ１１は、その生の画像データと関連付けられた宛先とスキャンＩＤ、保存期間を削除してＳ１０３に進む。
【００３２】
またＳ１１８で、保存期間に達した生の画像データがＨＤＤ１３に格納されていなければＳ１２１に進み、ＣＰＵ１１は、他の処理が要求されているか調べる。ここで他の処理が要求されていればＳ１２２に進み、その要求に対応する処理を行ってＳ１０３に進む。一方、他の処理が要求されていないときはＳ１０３に進む。
【００３３】
またＳ１０３で、ＰＣからスキャンジョブ要求を受信していればＳ１０４に進み、スキャンジョブの要求処理を行う。この処理は図７を参照して詳しく説明する。
【００３４】
このように本実施形態によれば、画像データを送信する宛先を複数選択して登録でき、原稿を読み取った生画像データとこれら複数の宛先とを関連付けて記憶する。これにより、その宛先からスキャンジョブ要求を受信すると、その要求元の宛先に、対応する画像データを送信できる。
【００３５】
図７は、図４のＳ１０４のスキャンジョブ要求に対する画像処理装置１０１の処理を説明するフローチャートである。尚、この処理を実行するプログラムはＨＤＤ１３にインストールされており、実行時、ＲＡＭ１２に展開され、ＣＰＵ１１の制御の下に実行される。
【００３６】
まずＳ２０１で、ＣＰＵ１１は、受信したスキャンジョブ要求に含まれる宛先とスキャンＩＤとの組み合わせが、記憶している宛先とスキャンＩＤとの組み合わせに合致するものがあるか調べる。合致するものがなければＳ２０２に進み、ＣＰＵ１１は、スキャンジョブ要求がPullScan要求かどうかを判定する。ここでPullScan要求であればＳ２０３に進み、読み取り部１５を稼働させて原稿の画像を光学的に読み取り、生の画像データを生成する。そしてＳ２０４に進み、ＣＰＵ１１は、受信したスキャンジョブ要求に含まれる画像パラメータ（ファイルフォーマット、白黒／カラー（カラーモード）、紙サイズ、解像度等の情報）に従って、生画像データに基づいて画像変換部１７が画像ファイルを作成する。そしてＳ２０５に進み、ＣＰＵ１１は、通信部１６、ネットワーク１０２を介して、その変換された画像ファイルをスキャンジョブ要求に含まれる宛先に送出する。一方、Ｓ２０２で、スキャンジョブ要求がPullScan要求でなければ異常と判断してＳ２０６に進み、エラー処理を行って、受信したスキャンジョブ要求を破棄する。これらＳ２０２〜Ｓ２０６の処理は、一般的なPullScan処理である。
【００３７】
一方Ｓ２０１で、受信したスキャンジョブ要求に含まれる宛先とスキャンＩＤの組み合わせを記憶しているときはＳ２０７に進む。Ｓ２０７では、ＣＰＵ１１は、受信したスキャンジョブ要求に含まれる画像データの仕様である画像パラメータ（ファイルフォーマット、白黒／カラー、紙サイズ、解像度等）で指定された画像ファイルを画像変換部１７で生成可能か否かを判定する。ここで生成できないと判断したときはＳ２０８に進み、エラーと判断し、そのスキャンジョブ要求を破棄してＳ２１６に進む。
【００３８】
一方、Ｓ２０７で、指定された画像ファイルを画像変換部１７で生成可能と判断するとＳ２０９に進み、その一致した、記憶されている宛先とスキャンＩＤに関連付けられている生画像データをＨＤＤ１３から取得する。そしてＳ２１０に進み、受信したスキャンジョブ要求に含まれる画像パラメータ（ファイルフォーマット、白黒／カラー、紙サイズ、解像度等）に従って画像変換部１７により生画像データを変換して画像ファイルを作成する。そしてＳ２１１に進み、ＣＰＵ１１は、変換が成功したかを判定し、変換に失敗すればエラーと判断してＳ２１５に進み、スキャンジョブ要求を破棄してＳ２１６に進む。
【００３９】
Ｓ２１１で変換に成功して画像ファイルを作成できたときはＳ２１３に進み、ＣＰＵ１１は、通信部１６、ネットワーク１０２を介して、その作成した画像ファイルを、スキャンジョブ要求に含まれる宛先に送信する。そしてＳ２１４で、送信が正常終了したかを判定し、送信に失敗すればＳ２１５に進み、スキャンジョブ要求を破棄してＳ２１６に進む。一方、送信に成功するとＳ２１６に進み、ＨＤＤ１３に記憶している、生の画像データと宛先とスキャンＩＤとの紐つけ（リンク）を削除する。
【００４０】
図８（Ａ）（Ｂ）は、Ｓ２１８の生画像データの削除処理を説明する図である。
【００４１】
図８（Ａ）は、ＨＤＤ１３に記憶されている生画像データとスキャン識別子、宛先との関係を示す図で、これは前述の図６に対応している。
【００４２】
この状態で、生画像データファイル３がＰＣ６に送信されて削除された状態を図８（Ｂ）に示す。図８（Ｂ）では、生画像データファイル３に対して一つのスキャン識別子、宛先が設定されているだけであるため、斜線で示す生画像データファイル３とスキャン識別子、宛先等が全て削除されている。
【００４３】
そしてＳ２１７に進み、その生の画像データに対して関連付けられた他の宛先とスキャンＩＤの組み合わせがないか調べる。なければＳ２１８に進み、ＨＤＤ１３に格納されている生画像データを削除する。これは図８（Ｂ）の場合に該当する。
【００４４】
もしここで、生画像データファイル１をＰＣ１に正常に送信した場合には、生画像データファイル１とスキャン識別子「１１１１」、ＰＣ１との紐つけだけが削除され、生画像データファイル１そのものは削除されない。これは生画像データファイル１に対して関連付けられた他の宛先とスキャン識別子の組み合わせが存在しているためである。
【００４５】
図９は、本実施形態に係る画像処理装置１０１と複数のＰＣとの間での画像データの転送シーケンス例を示す図である。
【００４６】
画像処理装置１０１の読み取り部１５に原稿がセットされると、９０３で、ＰＣ１０４（ＰＣ１）に対してスキャンの準備が完了したことを通知する。このとき、このスキャンに対して、スキャン識別子（スキャンＩＤ１）が設定される。また９０４でも同様に、ＰＣ１０５（ＰＣ２）に対してスキャンの準備が完了したことを通知する。このとき、このスキャンに対して、スキャン識別子（スキャンＩＤ２）が設定される。そして９０１で、画像処理装置１０１は、読み取り部１５により原稿を読み取って生の画像データを生成し、９０２で、それをＨＤＤ１３に記憶する。
【００４７】
これによりユーザは、この時点で、その読み取りに使用した原稿を読み取り部１５から取り出して収容することができる。
【００４８】
その後、９０５で、ＰＣ１０４（ＰＣ１）からスキャンジョブが要求される。このスキャンジョブには、スキャン識別子（スキャンＩＤ１）、送信宛先（ＰＣ１）、画像ファイルのフォーマットとしてファイルフォーマットＡが指定されている。更に、解像度が３００ｄｐｉ、モノクロ、画像サイズとしてＡ４サイズが指定されているものとする。これにより９０６で、画像変換部１７は、ＨＤＤ１３に格納されている生の画像データを基に、解像度３００ｄｐｉ、モノクロ、Ａ４サイズ、ファイルフォーマットＡの画像ファイルを作成する。そして９０７で、その画像ファイルをＰＣ１０４（ＰＣ１）宛に送信する。
【００４９】
同様に９０８で、ＰＣ１０５（ＰＣ２）からスキャンジョブが要求される。このスキャンジョブには、スキャン識別子（スキャンＩＤ２）、送信宛先（ＰＣ２）、画像ファイルのフォーマットとしてファイルフォーマットＢが指定されている。更に、解像度が６００ｄｐｉ、カラー、画像サイズとしてＡ３サイズが指定されているものとする。これにより９０９で、画像変換部１７は、ＨＤＤ１３に格納されている生の画像データを基に、解像度６００ｄｐｉ、カラー、Ａ３サイズ、ファイルフォーマットＢの画像ファイルを作成する。そして９１０で、その画像ファイルをＰＣ１０５（ＰＣ２）宛に送信する。
【００５０】
以上説明したように本実施形態によれば、ＰＣ側の制御に変更を加えることなく、疑似PushScanで、異なる複数のＰＣを宛先として指定する同報送信が可能となる。
【００５１】
また疑似PushScanで複数のＰＣに同一の原稿から作成する画像ファイルを送信するとき、従来のように、宛先ＰＣの数分、原稿を画像読み取り部で読み取る必要がなくなるという効果がある。よって、宛先ＰＣの数及び、各ＰＣからのスキャンジョブ要求で要求されるＰＣごとの画像パラメータ等の違いに関係なく、原稿を１回読み取るだけで、複数のＰＣに対して、要求された仕様で画像データを送信することができる。
【００５２】
以上説明したように本実施形態によれば、原稿を画像処理装置の読み取り部にセットし、スキャン準備完了通知をＰＣに送信すると読み取り部１５が原稿を読み取ってＨＤＤ１３に保存する。従って、ユーザは、読み取り部が原稿を読み取るのに必要な時間のみ画像処理装置１０１の傍にいればよいことになり、ユーザの利便性が向上するという効果もある。
【００５３】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2014011582.tif 000003
【図２】
2014011582.tif 000004
【図３】
2014011582.tif 000005
【図４】
2014011582.tif 000006
【図５】
2014011582.tif 000007
【図６】
2014011582.tif 000008
【図７】
2014011582.tif 000009
【図８】
2014011582.tif 000010
【図９】
2014011582.tif 000011